(57)【要約】【課題】車輪の前部に耕耘装置が配置されている場合に、車輪の後部に配置する整地板を安定した状態で、作用するように取り付けることができる管理機の整地装置を提供する。【解決手段】車輪１０の前部に耕耘装置Ｒを配置し、該耕耘装置Ｒの前に耕深調節輪１１を配置した管理機において、車輪１０の後部で操作ハンドル１２の下方に、整地板１を左右回動自在に枢支して配置した。また、整地板１を昇降ヒッチ２に対して左右回動自在に枢支した。【選択図】図２
2006020562.tif 000002
【特許請求の範囲】
【請求項１】
車輪１０の前部に耕耘装置Ｒを配置し、該耕耘装置Ｒの前に耕深調節輪１１を配置した管理機において、車輪１０の後部で操作ハンドル１２の下方に、整地板１を左右回動自在に枢支して配置したことを特徴とする管理機の整地装置。
【請求項２】
請求項１記載の管理機の整地装置において、整地板１を昇降ヒッチ２に対して左右回動自在に枢支したことを特徴とする管理機の整地装置。
【請求項３】
請求項２記載の昇降ヒッチ２を上部リンク７と下部リンク２５により構成した平行リンクによりヒッチブラケット３に対して昇降自在に装着したことを特徴とする管理機の整地装置。
【発明の詳細な説明】
【技術分野】
【０００１】
本発明は、前部に耕耘装置を配置した管理機において、耕耘装置で耕耘した後に、車輪が通過することにより出来る車輪後を消す為の整地板の構成に関する。
【背景技術】
【０００２】
従来から、走行式の管理機において、前部に耕耘装置を配置し、耕耘後の土壌面を車輪が通過すべく構成された技術は公知とされているのである。
しかし、前記のように、前部に耕耘装置を配置し、その後部に車輪を配置した管理機の場合には、車輪の後が耕耘土壌の面に轍跡として残るので、そのまま作物の育成する為には利用できず、再度整地装置を使用して、耕耘土壌面から轍の跡を消す作業をする必要があるのである。
【特許文献１】特開２０００−２３６７０３号公報
【発明の開示】
【発明が解決しようとする課題】
【０００３】
このように、轍の跡を消す為には、整地板を車輪の後の位置に配置すれば良いのであるが、車輪の前に耕耘装置が配置されている場合には、整地板が耕耘装置から離れた位置に、車輪を介して、天秤状態で配置されるので、耕耘土壌の硬軟により、耕耘装置が上下すると、整地板が逆に下上に強制的に昇降され、整地板が土壌に食い込んだ場合には、大きな抵抗となって、整地板を破壊するのである。また、逆に耕耘装置が深い位置まで食い込んだ場合には、整地板が浮いてしまい、整地効果が薄くなるというような不具合か発生するのである。
本発明は、このような車輪の前部に耕耘装置が配置されている場合に、車輪の後部に配置する整地板を安定した状態で、作用するように取り付ける技術に関する。
【課題を解決するための手段】
【０００４】
本発明の解決しようとする課題は以上の如くであり、次にこの課題を解決するための手段を説明する。
【０００５】
請求項１においては、車輪１０の前部に耕耘装置Ｒを配置し、該耕耘装置Ｒの前に耕深調節輪１１を配置した管理機において、車輪１０の後部で操作ハンドル１２の下方に、整地板１を左右回動自在に枢支して配置したものである。
【０００６】
請求項２においては、請求項１記載の管理機の整地装置において、整地板１を、昇降ヒッチ２に対して左右回動自在に枢支したものである。
【０００７】
請求項３においては、請求項２記載の昇降ヒッチ２を上部リンク７と下部リンク２５により構成した平行リンクによりヒッチブラケット３に対して昇降自在に装着したものである。
【発明の効果】
【０００８】
本発明の効果として、以下に示すような効果を奏するものであル。
請求項１の如く、車輪１０の前部に耕耘装置Ｒを配置し、該耕耘装置Ｒの前に耕深調節輪１１を配置した管理機において、車輪１０の後部で操作ハンドル１２の下方に、整地板１を左右回動自在に枢支して配置したことにより、前部の耕耘装置Ｒにより耕耘した後の土壌を、車輪１０が通過することにより発生する轍の跡を、本発明の整地板１により、消すことが出来るので、本管理機により整地後の土壌に、直ぐに作物を植生することが可能となったものである。
【０００９】
請求項２の如く、整地板１を、昇降ヒッチ２に対して左右回動自在に枢支したので、管理機の機体が圃場面の硬軟や凹凸により左右にローリングした場合において、傾いた方の整地板１が土壌に大きく食い込み過ぎて、破壊されることなく、常時、土壌面に対して追随して、整地作業を続けることが可能となったものである。
【００１０】
請求項３の如く、昇降ヒッチ２を、上部リンク７と下部リンク２５により構成した平行リンクによりヒッチブラケット３に対して昇降自在に装着したので、管理機の機体のローリングにより、整地板１が追随して、一方が土壌に深く食い込んで、該整地板１を管理機の機体に取り付けている部分に大きな負荷がかかった場合に、ミッションケースの部分に取り付けられている基部に、過剰負荷がかかり、ミッションケースにひび割れや油洩れが発生していたのであるが、この不具合を解消することが出来たものである。
【発明を実施するための最良の形態】
【００１１】
次に発明の実施の形態を説明する。
図１は、本発明の管理機と整地装置の全体を示す側面図、
図２は、本発明の管理機と整地装置の全体斜視図、
図３は、ヒッチブラケット３と昇降ヒッチ２の部分の斜視図、
図４は、ヒッチブラケット３と昇降ヒッチ２の部分の側面図、
図５は、整地板１の部分の後面図、
図６は、整地板１の平面図、
図７は、整地板１の側面図である。
【００１２】
図１と図２において、管理機の全体構成について説明する。
エンジンＥを中心に管理機の全体が構成されている。該エンジンＥの下方には、『ヘ』の字型に構成されたミッションケース４が配置されている。該ミッションケース４に向かって、エンジンＥからベルトケース１７の内部のベルトを介して動力が伝達される。該ミッションケース４の前部に耕耘装置Ｒの耕耘爪軸が設けられており、耕耘ナタ爪１５を反時計方向に回転して土壌が耕耘される。
【００１３】
該耕耘ナタ爪１５の部分で耕耘ケースを構成するミッションケース４の下方には抵抗棒１６が垂設されている。また該耕耘ナタ爪１５の回転外周に耕耘カバー３１が被覆されており、該耕耘カバー３１にはハンドル把手２０が、管理機の機体を持ち上げる為に設けられている。
該耕耘装置Ｒの前部に、耕深調節輪１１が配置されている。該耕深調節輪１１は、機体後部の操作ハンドル１２の部分の下方に設けられている耕深調節レバー１４を操作することにより、上下可能に構成されている。該耕深調節レバー１４により耕深調節輪１１の高さを調整することにより、車輪１０に対して耕耘装置Ｒの位置が上下し、耕深が調整されるのである。
【００１４】
また、ミッションケース４の後端に車軸が突設されており、該車軸に車輪１０が固定されている。また該左右の車輪１０の間で、ミッションケース４の後部に、ボルト３３によりケースカバーフレーム２６が固定されている。該ケースカバーフレーム２６には、ヒッチブラケット３や昇降ヒッチ２が固定されているので、作業機が大きく左右前後に揺れると、ケースカバーフレーム２６を介して、ミッションケース４に過負荷がかかるのである。本構成においては、昇降ヒッチ２とヒッチブラケット３の間に上部リンク７とケースカバーフレーム２６を設けて、この部分で過負荷を吸収しているのである。
該ケースカバーフレーム２６の前部よりハンドルブラケット３０が上方に向けて突出されており、該ハンドルブラケット３０に操作ハンドル１２の基部が、ハンドル角度調節レバー１８により調節可能な状態で支持されている。
【００１５】
また、ケースカバーフレーム２６に設けられた変速ガイド溝に挿入された変速レバー１３か突出されている。また、操作ハンドル１２には、ベルトクラッチ操作レバー１９が支持されている。該ベルトクラッチ操作レバー１９により、ベルトケース１７内のベルトテンションクラッチを断接操作して、走行と耕耘の駆動をＯＮ−ＯＦＦすべく構成している。
【００１６】
本発明の整地板１は、ケースカバーフレーム２６の後面に固定されたヒッチブラケット３に、昇降ヒッチ２を下部リンク６と上部リンク２５を介して昇降可能に支持し、該昇降ヒッチ２に固定して支持している。
次に図３と図４により、ヒッチブラケット３と昇降ヒッチ２の部分の構成について説明する。
本発明の整地板１は、管理機の機体の車輪１０を中心とした天秤作用による上下運動が発生するので、整地板１自体が或る程度、上下に管理機に対して自由に上下可能にする必要があるのである。
【００１７】
しかし、単に自由に上下するだけでは、路上走行する場合や、枕地における回行の際等において、垂下された状態の整地板１が、圃場面や路上に接触することとなり、邪魔となるのである。故に、このような場合の為に、整地板１を上昇した状態では、ロック固定しておく構造が必要となるのである。
本発明においては、この整地板１を持ち上げた状態でロックする機構を、ヒッチブラケット３と上部リンク７に設けられたロックピン３５との間に構成しているのである。
【００１８】
また、該整地板１は、或る程度下方に付勢された状態で土壌面に設置する必要があるが、自重により土壌に深く食い込み過ぎることのないように、付勢バネ６が、昇降ヒッチ２とヒッチブラケット３の間に介装されているのである。
該付勢バネ６は、整地板１が下方に垂下して土壌面に設置している場合には、土壌に対する押圧付勢力となり、また整地板１を上昇した場合には、整地板１を持ち上げる方向に付勢するように、枢支点である支点ピン３６が長孔３ａ内で前後して、支点越え状態となるように構成している。
この構成により、該付勢バネ６が整地用の付勢バネと、整地板１の上昇用の付勢バネの両方の役目をするのである。
【００１９】
また、ヒッチブラケット３の後端面が、ロックピン３５の接当カム面に構成されており、該カム面を上下するロックピン３５の下端の位置と状態の位置が決定されるように構成されている。ロックピン３５の下端の位置は、ヒッチブラケット３に設けられた係合凹部３ｂにより決定され、ロックピン３５の上端の位置は、ロック係止金具５がロックピン３５に係合することにより決定されている。該ロック係止金具５は枢支軸３７により枢支されている。
【００２０】
ヒッチブラケット３には、下部リンク２５と上部リンク７の前端が枢支されており、昇降ヒッチ２には、下部リンク２５と上部リンク７の後端が枢支されている。該昇降ヒッチ２には、整地板１の前端の支持杆８を挿入する挿入筒３８が固設されている。
次に図６・図７・図８において、整地板１の支持構成を説明する。
該支持杆８を挿入筒３８に挿入した状態で、整地板１の抱持ブラケット２１に設けられた左右位置調整ボルト２３Ｌ・２３Ｒにより、整地板１の左右への傾動状態を調整可能に構成しているのである
【００２１】
該左右位置調整ボルト２３Ｌ・２３Ｒは、支持杆８を挿入筒３８に挿入した状態で、挿入筒３８の左右に該左右位置調整ボルト２３Ｌ・２３Ｒを接当させる状態を変更することにより、調整しているのである。
また図６と図７において、図示されている如く、整地板１の側からレベル係止ピン４０が突設されており、前記した抱持ブラケット２１に固定して突出されたレベル付勢バネ９が設けられている。該レベル付勢バネ９により、抱持ブラケット２１とレベル係止ピン４０の間を付勢して、常時水平状態となるように支持しているのである。
【００２２】
整地板１は中央上部に設けた枢支ピン２０が、抱持ブラケット２１に設けた枢支筒２２内に遊嵌されており、該枢支筒２２と枢支ピン２０の構成により、左右に回動自在に支持されているのである。
【図面の簡単な説明】
【００２３】
【図１】本発明の管理機と整地装置の全体を示す側面図。
【図２】本発明の管理機と整地装置の全体斜視図。
【図３】ヒッチブラケット３と昇降ヒッチ２の部分の斜視図。
【図４】ヒッチブラケット３と昇降ヒッチ２の部分の側面図。
【図５】整地板１の部分の後面図。
【図６】整地板１の平面図。
【図７】整地板１の側面図である。
【符号の説明】
【００２４】
Ｒ  耕耘装置
１  整地板
２  昇降ヒッチ
３  ヒッチブラケット
４  ミッションケース
５  ロック係止金具
６  付勢バネ
７  上部リンク
８  支持杆
９  レベル付勢バネ
１０  車輪
１１  耕深調節輪
１２  操作ハンドル
１３  変速レバー
２５  下部リンク
２６  ケースカバーフレーム
【図１】
2006020562.tif 000003
【図２】
2006020562.tif 000004
【図３】
2006020562.tif 000005
【図４】
2006020562.tif 000006
【図５】
2006020562.tif 000007
【図６】
2006020562.tif 000008
【図７】
2006020562.tif 000009